(57)【要約】【課題】  使用済みの農業用、工事現場用合成樹脂シートを断裁の前処理を行うことなく、セメントクリンカの焼成用の代替燃料として使用可能としたロータリキルンによる廃棄物処理方法及び装置を提供する。【解決手段】  廃棄物となった合成樹脂シートを所要の大きさにロール状ベール化し、これをサスペンションプレヒータ４により予熱されたセメント原料粉を焼成してセメントクリンカを製造するロータリキルン１に供給するためのシュート６をロータリキルン１の窯尻部３に配置し、このシュート６内には前記ロール状ベール化した合成樹脂シートを一時停留する複数段の開閉可能なシャッタプレートを設け、シュート６の外周には冷却水を通水するウォータジャケットによる冷却手段を備え、前記ロール状ベール化した合成樹脂シートをロータリキルン１の代替燃料としてロータリキルン１に供給するようにした。【選択図】        図１
2006130364.tif 000002
【特許請求の範囲】
【請求項１】
廃棄物となった合成樹脂シートを所要の大きさにロール状ベール化し、これをサスペンションプレヒータにより余熱されたセメント原料粉を焼成してセメントクリンカを製造するロータリキルンに代替燃料として供給するようにしたことを特徴とするロータリキルンによる廃棄物処理方法。
【請求項２】
廃棄物となった合成樹脂シートを所要の大きさにロール状ベール化し、これをサスペンションプレヒータにより余熱されたセメント原料粉を焼成してセメントクリンカを製造するロータリキルンに供給するためのシュートをロータリキルンの窯尻部に配置し、このシュート内には前記ロール状ベール化した合成樹脂シートを一時停留する複数段の開閉可能なシャッタプレートを設け、シュートの外周には冷却水を通水するウォータジャケットによる冷却手段を備え、前記ロール状ベール化した合成樹脂シートを代替燃料としてロータリキルンに供給するようにしたことを特徴とするロータリキルンによる廃棄物処理装置。
【発明の詳細な説明】
【技術分野】
【０００１】
本発明は、セメントクリンカを製造するためのロータリキルンにより廃棄物となった合成樹脂シートを焼却処理する方法及び装置に関するものである。
【背景技術】
【０００２】
廃棄物を可燃物と不燃物とを抑制燃焼により熱分解して処理する廃棄物処理専用のロータリキルンが、例えば、特開平０５−０３３９１６公報、特開平０９−２８０５２４公報、特開平１０−０１９２２０公報で提供されている。
【０００３】
このような廃棄物処理専用のロータリキルンを用いなくてもセメントクリンカを製造するためのロータリキルンにより焼却処理することが可能であり、例えば、使用済み農業用ポリシートを燃焼させてセメントクリンカの焼成用熱量として再利用することによりセメントクリンカ焼成の主燃料である微粉炭の使用料を節約することができる。
【特許文献１】特開平０５−０３３９１６公報
【特許文献２】特開平０９−２８０５２４公報
【特許文献３】特開平１０−０１９２２０公報
【特許文献４】特開平１１−２４６２４７公報
【発明の開示】
【発明が解決しようとする課題】
【０００４】
前記農業用ポリシート自体が長尺でありロータリキルンに代替燃料として供給するため連続的な輸送システム（ベルトコンベア等）に適さないことから細かく断裁し機械輸送に適した形状に前処理する必要がある。しかし、ポリシートの物性として、薄く、軟らかく、伸び、切りにくい特性に加え、使用済み農業用ポリシートには土砂が付着しており、また、金属鳩目を有しているものがあり、これを断裁機（破砕機）で断裁処理すると刃の摩耗や欠損などが生じ、また、伸展性の高い物性を断裁するためには鋭利な刃先が必要で断裁処理に多くのコストを必要とし、これを改善する課題があった。
【０００５】
本発明の目的は、使用済みの農業用、工事現場用合成樹脂シートを断裁の前処理を行うことなく、セメントクリンカの焼成用の代替燃料として使用可能としたロータリキルンによる廃棄物処理方法及び装置を提供することにある。
【課題を解決するための手段】
【０００６】
上記の目的を達成するための本発明方法は、請求項１に記載の通り、廃棄物となった合成樹脂シートを所要の大きさにロール状ベール化し、これをサスペンションプレヒータにより予熱されたセメント原料粉を焼成してセメントクリンカを製造するロータリキルンに代替燃料として供給するようにしたことを特徴とするものである。
【０００７】
上記の目的を達成するための本発明装置は、請求項２に記載の通り、廃棄物となった合成樹脂シートを所要の大きさにロール状ベール化し、これをサスペンションプレヒータにより予熱されたセメント原料粉を焼成してセメントクリンカを製造するロータリキルンに供給するためのシュートをロータリキルンの窯尻部に配置し、このシュート内には前記ロール状ベール化した合成樹脂シートを一時停留する複数段の開閉可能なシャッタプレートを設け、シュートの外周には冷却水を通水するウォータジャケットによる冷却手段を備え、前記ロール状ベール化した合成樹脂シートを代替燃料としてロータリキルンに供給するようにしたことを特徴とするものである。
【発明の効果】
【０００８】
本発明によれば、処理困難である長尺の合成樹脂シートをロール状ベール化することにより断裁前処理することなく水分や土砂類付着のままで低コストにて焼却処理することができ、使用済みの合成樹脂シートをセメントクリンカの焼成用熱量として再利用することによりセメントクリンカ焼成の主燃料である微粉炭の使用料を節約することができる効果を有している。
【発明を実施するための最良の形態】
【０００９】
以下本発明を実施するための最良の形態について説明する。本発明の方法は、廃棄物となった合成樹脂シートを所要の大きさにロール状ベール化し、このロール状ベール化（圧縮減容化）した合成樹脂シートをサスペンションプレヒータにより予熱されたセメント原料粉を焼成してセメントクリンカを製造するロータリキルンの代替燃料としてロータリキルンに供給焼却するようにしたものである。  
【００１０】
前記合成樹脂シートは、例えば、農耕地やビニルハウス等農業用での使用済み廃棄品、工事現場での使用済み廃棄品、その他テント等の廃棄品である。前記農耕地やビニルハウス等農業用での使用済み廃棄品（以下農業用シートと略称する）の場合は次のようなビジネスのメリットがある。
【００１１】
すなわち、農家などから排出される農業用シートを各地域での農協組織活用での処理システムフローが組み立てやすい。また、農業用シートの発生量の季節変動（収穫期後に発生）があるが、各地域での発生量が安定しているため、数値的見込みが立てやすい。さらに、セメントクリンカを製造するロータリキルンの高温、焼却、原料化の特質を活用することで、水分、土砂類付着・断裁・破砕なしでの処理が可能である等である。
【００１２】
廃棄物となった合成樹脂シートのロール状ベール化は、市販されている移動式小型減容梱包機にて迅速かつ小さくロール状に減容自動ひも掛けして梱包することができ、持ち運びや保管が容易で輸送効率も向上させる。
【００１３】
そこで、本発明は廃棄物となった合成樹脂シートを前記移動式小型減容梱包機にてセメントクリンカを製造するロータリキルンに供給するのに適した所要の大きさ、例えば、図２で示すように、直径Ｒが４００ｍｍ未満、高さＨが６００ｍｍ未満の円柱形あるいは角柱形のロール状ベール化したセメントクリンカを製造するロータリキルンの代替燃料７とすることにより、廃棄物となった合成樹脂シートを廃棄物処理専用のロータリキルンで焼却処理しなくてもセメントクリンカを製造するロータリキルン焼却処理すると同時にセメントクリンカの焼成用熱量として再利用することでセメントクリンカ焼成の主燃料である微粉炭の使用料を節約することができる。
【００１４】
上記本発明方法を実現させる装置について図面に基づき説明する。図１において、１はサスペンションプレヒータ４により予熱されたセメント原料粉を焼成してセメントクリンカを製造するロータリキルン本体であり、窯前部には微粉炭を主燃料とするバーナ部２を備えており、このバーナ部２による１８００℃のバーナ火炎でロータリキルン本体１の窯尻部３より前記サスペンションプレヒータ４から窯尻部３より供給されるセメント原料粉を１５００℃で焼成し、窯尻部３から窯前部に向かって固相反応、液相反応、焼結反応してセメントクリンカを造粒し、これをクリンカクーラ５で急冷却する従来周知のセメントクリンカを製造装置である。
【００１５】
本発明は上記従来周知のセメントクリンカを製造装置において、ロータリキルン本体１の窯尻部３に前記廃棄物となった合成樹脂シートをロール状ベール化した代替燃料７をロータリキルン本体１に供給するためのシュート６を配置したものである。
【００１６】
このシュート６の具体的な構造は図３で示すように、代替燃料７の投入口８を備えた筒状体であり、前記投入口８に近い側のシュート６内には開閉可能な上側シャッタプレート９ａと、この上側シャッタプレート９ａと代替燃料７の高さ相当分の間隔をおいて下側シャッタプレート９ｂとが設けられている。
【００１７】
また、前記下側シャッタプレート９ｂの下方から窯尻部３の間のシュート６の外周には冷却水を通水するウオータジャケット１０が設けられており、高熱を受ける窯尻部３近傍のシュート６内を冷却する手段を備えた構造である。
【００１８】
本発明装置は上記の通りの構造であるから、廃棄物となった合成樹脂シートをロール状ベール化した代替燃料７はシュート６の投入口８から投入し、窯尻部３よりロータリキルン本体１内に供給され燃焼してセメントクリンカの焼成用熱量として再利用する。
【００１９】
上記代替燃料７をシュート６の投入口８に投入する際には上側シャッタプレート９ａ及びは下側シャッタプレート９ｂは閉止状態であり、代替燃料７は先ず、上側シャッタプレート９ａ上に投入される。そして、上側シャッタプレート９ａを下方旋回して開くことにより上側シャッタプレート９ａ上に投入されていた代替燃料７は閉止状態である下側シャッタプレート９ｂ上に落下して停留する。この代替燃料７が下側シャッタプレート９ｂ上に落下した時点で上側シャッタプレート９ａは上方旋回して閉止状態に戻される。
【００２０】
上記上側シャッタプレート９ａは上方旋回して閉止状態に戻されたところで下側シャッタプレート９ｂが下方旋回して開き代替燃料７はウオータジャケット１０の冷却雰囲気部位を通過して窯尻部３よりロータリキルン本体１内に供給され、下側シャッタプレート９ｂは上方旋回して閉止状態に戻される。
【００２１】
このように、シュート６は代替燃料７の供給において上側シャッタプレート９ａと側シャッタプレート９ｂは交互に開閉するため、高温負圧となっているロータリキルン本体１内へ低温の大気がシュート６より漏入することがなくロータリキルン本体１内の温度下降を防止し、所定の温度状態を保持するのでセメントクリンカの焼成造粒に悪影響を及ぼすことがない。
【００２２】
また、シュート６に投入された代替燃料７はウオータジャケット１０の冷却雰囲気部位を通過して窯尻部３よりロータリキルン本体１内に供給されるので、高熱により代替燃料７が軟化溶融してシュート６壁に付着する不具合が防止され、代替燃料７はロール状ベール化した形態でロータリキルン本体１内に円滑に供給される。
【００２３】
このように本発明では、廃棄物となった合成樹脂シートを所要の大きさにロール状ベール化してセメントクリンカを製造するロータリキルンによ燃焼処理するものであるから、使用済みの合成樹脂シートの焼却処理に当たって廃棄物処理専用のロータリキルンを用いる必要がなく、その上セメントクリンカの焼成用熱量として再利用することによりセメントクリンカ焼成の主燃料である微粉炭の使用料を節約することができる経済的な利点を有しているものである。特に処理が困難である水分、土砂類が付着している農業用シートにおいては、水分、土砂類を分解したり細かく裁断する前処理を不要とするため、農業用シート処理ビジネスのメリットが大である。
【図面の簡単な説明】
【００２４】
【図１】本発明装置を備えたセメントクリンカを製造するロータリキルンの断面図
【図２】廃棄物となった合成樹脂シートをロール状ベール化した斜視図
【図３】シュートの詳細を示す断面図
【符号の説明】
【００２５】
１    ロータリキルン本体
２    バーナ部
３    窯尻部
４    セメントクリンカ
５    クリンカクーラ
６    シュート
７    合成樹脂シートをロール状ベール化した代替燃料
８    投入口
９ａ  上側シャッタプレート
９ｂ  下側シャッタプレート
１０    ウオータジャケット
【図１】
2006130364.tif 000003
【図２】
2006130364.tif 000004
【図３】
2006130364.tif 000005
【手続補正書】
【提出日】平成16年11月8日(2004.11.8)
【手続補正１】
【補正対象書類名】特許請求の範囲
【補正対象項目名】全文
【補正方法】変更
【補正の内容】
【特許請求の範囲】
【請求項１】
廃棄物となった合成樹脂シートを所要の大きさにロール状ベール化し、これをサスペンションプレヒータにより予熱されたセメント原料粉を焼成してセメントクリンカを製造するロータリキルンに代替燃料として供給するようにしたことを特徴とするロータリキルンによる廃棄物処理方法。
【請求項２】
廃棄物となった合成樹脂シートを所要の大きさにロール状ベール化し、これをサスペンションプレヒータにより予熱されたセメント原料粉を焼成してセメントクリンカを製造するロータリキルンに供給するためのシュートをロータリキルンの窯尻部に配置し、このシュート内には前記ロール状ベール化した合成樹脂シートを一時停留する複数段の開閉可能なシャッタプレートを設け、シュートの外周には冷却水を通水するウォータジャケットによる冷却手段を備え、前記ロール状ベール化した合成樹脂シートを代替燃料としてロータリキルンに供給するようにしたことを特徴とするロータリキルンによる廃棄物処理装置。